(57)【要約】      （修正有）【課題】暦等の記載部分が取り外し、取り付け、差し替えが可能な卓上用、壁掛け用カレンダーで、暦等が表示されている部分を取り外して、他の目的にも使用可能なカレンダーを提供する。【解決手段】卓上用、壁掛け用カレンダーで取り外し、取り付け可能な暦等が表示される部分を細かい繊維にて形成した滑らかな布を用いることにより、特に暦と共に表示された絵画が光沢紙と同様それ以上の優れた質感が表現でき、しかも表示部分を取り外して眼鏡拭きや鏡面状光沢面のチリ等の拭き取りとして使用し得るようにした。特に暦としての使用を終えた後もただちに廃棄することなしに使用することを可能とする。【選択図】図１
0003146660.tif 000002
【実用新案登録請求の範囲】
【請求項１】
台紙等の保持部に布製の表示部を着脱可能に保持したカレンダーで、前記布製の表示部が極めて細かい繊維にて形成した表面が極めて滑らかな布よりなり、前記布製の表示部に暦およびその周辺部等に絵画、写真等を表示（印刷にて形成）したことを特徴とするカレンダー。
【請求項２】
前記保持部が厚紙等よりなり、表示部を取り付ける箇所と保持部を支える立て掛け部とにより構成され、前記立て掛け部を保持面の下端を裏面側に三角筒形状に折り曲げた形状もしくは裏面側の折りたたみスタンド形状として、卓上用として使用するようにしたことを特徴とする請求項１のカレンダー。
【請求項３】
前記保持部が少なくとも前記表示部を着脱可能に保持する取り付け箇所を有する厚紙又は布等よりなり、前記保持部の上側端部に壁掛けホルダを有する、壁掛け用として使用するようにしたことを特徴とする請求項１のカレンダー。
【請求項４】
前記保持部が少なくとも前記表示部を着脱可能に保持する箇所を有する厚紙等よりなり、前記保持部の上側端部に壁掛けホルダを有し、前記保持部の下端に裏面側に折り曲げて三角筒形状になし得る折り曲げ部を有する構成又は裏面側に折りたたみのスタンド部を形成する構成であって、前記保持部の上側端部の壁掛けホルダを利用した壁掛け用カレンダーとしての使用と、前記保持部の折り曲げ部を折り曲げた三角筒形状又は裏面側の折りたたみスタンド形状を利用した卓上用カレンダーとしての使用とを可能にしたことを特徴とする請求項１のカレンダー。
【請求項５】
前記表示部が暦を印刷した１枚の布又は複数枚の布を重ね合わせたものよりなる請求項１、２、３又は４のカレンダー。
【請求項６】
前記表示部が該表示部を保持部より取り外した際に携帯が可能であり、又眼鏡のレンズ拭きや鏡面状物質等の表面を拭くのに適した形状、大きさであることを特徴とする請求項１、２、３、４又は５のカレンダー。
【請求項７】
１枚又は複数枚の暦を表示した表示部の他に、更に絵画や写真等のみを表示した表示部を含む請求項１、２、３又は４のカレンダー。
【考案の詳細な説明】
【技術分野】
【０００１】
本考案は、カレンダーに関するもので、暦やその近くに表示されている絵画や写真等を含む表示部分が布製であるカレンダーに関するものである。
【背景技術】
【０００２】
従来のカレンダーは、一般に紙製であって、その表面に暦の他絵画や写真等が印刷されているものが多い。
【０００３】
そのために、使用後つまりカレンダーに記載されている暦の月日やその年が経過した後は、そのまま廃棄される。
【０００４】
又、壁掛け式のカレンダーの中に布製のカレンダーも存在するが使用後は同様に廃棄されてしまう。
【０００５】
又、卓上カレンダーは厚紙にて形成された保持枠の前面に開口を有し、暦やその近くに表示される絵画や写真等を開口より若干大きな紙に表示し、この暦を記載した用紙を保持枠の開口部分に挿入されて見得るように形成されている。
【０００６】
このように卓上カレンダーは、保持枠、暦等を印刷した表示部分も紙製であり、使用後は廃棄されてしまう。
【０００７】
又、卓上カレンダーには、暦部分が布製のものもあるが、これらも使用後はすべてが廃棄されてしまう。
【０００８】
又、従来のカレンダーで布製のカレンダーは、布表面に記載された暦が十分鮮明に画かれているとはいえない。特に卓上カレンダーは、小型であるため、暦等が小さく画かれ布製の場合一層見にくくなる。そのために卓上カレンダーでは、表示部分が布製のものは極めて稀であると考えられる。
【０００９】
更に、カレンダーには絵画、写真等が印刷されていることが多いが、布製の場合、それらが不鮮明であり好ましくない。
【００１０】
特に絵画や写真において細部が明瞭に印刷されない場合、それらをカレンダーの暦を表示する面に印刷することの意味が極めて少なくなる。
【考案の開示】
【考案が解決しようとする課題】
【００１１】
本考案は、台紙等の保持部に暦、絵画、写真が描かれている布製の表示部を着脱可能に取り付けたカレンダーを提供するものである。
【課題を解決するための手段】
【００１２】    本考案のカレンダーは、台紙等の保持部に布製の表示部を着脱可能に保持したもので、布製の表示部が本考案の出願人が製造し、（公序良俗違反につき、不掲載）一般にワイピングクロスと称する極めて細かい天然繊維や化学繊維を素材として織ったソフトで表面がきめ細かく滑らかな布を用いたものであって、その表面に暦と共に著名な絵画や美しい自然を撮影した写真等を印刷等の手段にて表示したことを特徴とするものである。【００１３】
即ち、本考案は一般にワイピングクロスと称されている布地がその表面が極めて滑らかな形状であり、この表面に絵画等を印刷表示した時に、光沢紙に印刷したのと同様に美しい印刷が可能であり、しかも光沢紙よりも優れた質感が表現できることに着目し、それと共にこの布の本来の特徴を生かした使用方法とを兼用させることを特徴とする。
【００１４】
このように、本考案のカレンダーは、表示部として上記のような布を採用することによって、布製であるにも拘らず、その表面に形成された暦を鮮明に見得ると共に、暦に加えて表示されている絵画や写真も現物に近く表現され、又美術品や著名な建築物等の画像も繊細な点まで明瞭に画かれていて美的にも優れた表示部を取り外し可能にしたものである。
【００１５】
また、台紙等の保持部に対する取り付け、取り外しが容易な構成であるため、表示部を保持部より外して携帯することにより、外出時等も暦を見ることが可能であり、又同様に表示されている絵画や写真等を観ることが可能である。
【００１６】
更に表示部を形成する布が極めて滑らかで変形しやすくソフトであるために眼鏡を使用するものは、眼鏡のレンズ表面を拭くためにも使用でき、その他鏡表面等の鏡面状の光沢面を拭く際にも極めて有効である。
【００１７】
又、暦に記載されている月日や年が経過後の暦として不要になった後も、布製の表示部を前述のような使用が可能であり、廃棄することなしに使用し続けることができる。
【００１８】
しかも表示部は、一般の厚紙製のものや比較的厚いしかも目の粗い布製のものとは異なり、折り曲げが容易であり、又手触りがソフトであり、保管等にも好ましい。
【００１９】
又、本考案のカレンダーにおいて、台紙部分である保持部を少なくともその表示部の取り付け箇所より下方に伸びる形状とし、その部分を裏面側に折り曲げて三角筒形状とするか裏面側を折りたたみのスタンド形状とすることにより卓上カレンダーとしてもよい。
【００２０】
又、保持部を平板状とし、その上側端部に壁掛けホルダを設けることにより壁掛け用カレンダーとしてもよい。
【００２１】
更に、保持部の表示部を取り付ける箇所の下方を、これより下方に伸びる形状とし、しかも折り曲げ可能として裏面側に三角筒形状に折り曲げるか裏面側を折りたたみのスタンド形状とし、同時に保持部の上側端部に壁掛けホルダを設けることにより、卓上カレンダーとしての使用と、壁掛け用カレンダーとしての使用の両使用方法を適宜選択し得る構成になし得る。
【００２２】
この場合、卓上カレンダーとしての使用時は、保持部の上側端部の壁掛けホルダは、折り曲げまたは回動によって、保持部の裏側に隠れるようにしてもよい。逆に壁掛け用カレンダーとしての使用の場合、保持部の裏側の三角筒形状部分又は折りたたみのスタンド形状の部分をそのままにした状態にて壁掛け用として使用してもよいが、表示部が傾斜して表示面が見にくくなる。
【００２３】
そのため、卓上用の三角筒形状の部分を保持部（本体）裏面に接着することなく、折り曲げ部分での折り曲げ角度（９０°および０°を含め）を自由に変え得る構成として、下方に伸ばして長い保持部としての使用や、逆に全体を裏側に位置させて適宜手段にて保持部の裏面側にて固定することにより、全体が平面状の保持部として使用するような構成にすることが好ましい。
【００２４】
更に、本考案のカレンダーにおいて、布製の表示部を携帯に便利であり、かつ拭き取り布として使用しやすい大きさ形状とすることが望ましい。
【考案の効果】
【００２５】
本考案は、ワイピングクロスと称する極めて細かい繊維よりなる布を暦等を記載する表示部として用いることにより、布製であるにも拘らず印刷された画像が極めて鮮明であり、その上眼鏡のレンズ等の光沢面を拭くためにも使用し得る等の効果を有する。
【考案を実施するための最良の形態】
【００２６】
本考案の実施の形態を図示する実施例をもとに説明する。
【実施例１】
【００２７】
図１は、本考案のカレンダーの実施例を示すもので、卓上用カレンダーとしても壁掛け用カレンダーとしても使用し得る例である。
【００２８】
又、この実施例のカレンダーは１枚の表示部に１年分の暦を記載した例である。
【００２９】
図において、１は表示部でトレシー等の細かい繊維により織った布つまり、ワイピングクロスで、表面が極めて滑らかな面である。この表示部１のうち右側の１ａは１年間の暦が表示され、左側の１ｂに絵画が描かれている。この例では英国コートールド美術館の絵が使用されている。２は保持部であって、表示部１より下方に伸びた部分に折り曲げ部３と他の折り曲げ部４を有し、表示部１を含めて三角筒形状として卓上カレンダーとして用い得るようにしてある。
【００３０】
又、５は壁掛けホルダで、この実施例のカレンダーを壁掛け用として使用する場合、このホルダ５を用いればよい。
【００３１】
その場合、図示された状態のまま、壁掛け用として使用すると表示部が傾斜するため、若干見にくくなることが考えられる。そのために、折り曲げ部３、４を伸ばして保持部２を平板状にするか、逆に折り曲げ部３より先を裏面側に重ねて平板状にすることにより、表示部をほぼ垂直にすることが可能である。
【００３２】
この実施例のカレンダーは、布製の表示部１が厚紙等よりなる保持部２の表面上に取り付け片に挟む等の手段にて簡単に取り外し得るもので、不要になった場合、布製の表示部１を取り外し、この布により汚れ等の拭き取りに使用し得る。
【００３３】
ここで、表示部１の布は商品名トレシーのように表面の滑らかな布であり、眼鏡のレンズ拭き等に利用し得る。
【００３４】
又、この実施例のカレンダーは、表示部の着脱が簡単に行ない得るため、カレンダーとして使用中にも、表示部１を外して眼鏡のレンズ等の拭き取りに使用し、その後、カレンダーの保持部１に取り付けてカレンダーとして使用することができる。
【００３５】
又、実施例では、１枚の表示部に１年分の暦を記載したカレンダーであるが、各月毎の１２枚あるいは複数月毎の複数枚の布製表示部を重ねて取り付け、月毎に交換して使用するカレンダーとしてもよい。
【００３６】
その場合、カレンダーとしての使用と共に、眼鏡のレンズ等の拭き取り用の布として使用することができる。
【００３７】
又、この実施例のカレンダーは、表示部１が布製であり、形状大きさも携帯に便利な構成である。したがって、表示部１を取り外して携帯し、外出中等に見ることも可能であり、同時に眼鏡を使用する者は、眼鏡拭きとして使用し得る。
この実施例は、卓上用と壁掛け用の両方の使用が可能なカレンダーであるが、例えば図示する形状の保持部２に布製表示部１を取り外し可能にした卓上用のみに使用し得る構成にしてもよい。
【００３８】
逆に、三角筒形状部分を除去した形状とし、壁掛けホルダ５を用いて壁掛け用のみに使用する構成にすることも可能である。
【００３９】
このように、壁掛け用のみに使用する構成（卓上用の使用を行なわない構成）とする場合、カレンダーの保持部を厚紙等としてその上側端部に壁掛けホルダを設けた構成や、保持部も布製とし、その上側端部に壁掛けホルダを設け、布製保持部にトレシー等よりなる布製の表示部を着脱可能に取り付けた構成としてもよい。
【実施例２】
【００４０】
図２、図３、図４、図５は、本考案のカレンダーの他の実施例２を示す。これら図のうち図２は表示部を取り付けた状態を正面より見た図、図３は表示部を取り外した状態を正面より見た図、図４は背面より見た図、図５は立て掛けた状態を背面より見た図である。この実施例２は、特に卓上用として使用する際の立て掛け部分の構造が実施例１と異なる実施例である。つまり実施例１のカレンダーがこの立て掛け部分を保持部を裏面側に折り曲げて三角筒状としたのに対し、この実施例２は図５に示す斜視図（背面より見た図）のようにして卓上用として使用し得る。
【００４１】
即ち、図３に示すように、この実施例２のカレンダー１０は、保持部（台紙）１２において符号１３ａに示す実線部分を線状に切り離し可能とし、他の破線にて示す１３ｂを折り曲げ可能として、１３ｂの箇所は保持部１２に接続されたままで、立て掛け部１３が保持部１２より切り離し折り曲げ可能となっている。これにより、立て掛け部１３を折り曲げ部分（破線部分）１３ｂにて夫々裏側へ折り曲げて、図５の斜視図にて示すようにして、保持部１２が転倒しないようにして卓上用として使用し得るようにしている。
【００４２】
又、保持部１２の４隅には、表示部１１を挟む取り付け部１４が形成されている。この取り付け部１４は円弧状の切り抜き部分よりなり、この切り抜き部分に表示部１１の４隅を挟んでこれを取り付け、図２の正面図に示すように、表示部１１は保持部１２にて保持され、暦等を見得るようになる。
【００４３】
一方カレンダー１０の保持部１２の上方には、壁掛けホルダ１５が形成されている。この壁掛けホルダ１５は、１５ａにて示す実線部分が切り離し可能であり、又１５ｂの破線部分は保持部１２と一体のままで折り曲げ可能となっている。更に壁掛けホルダ１５には掛け止め用の孔１６が設けられている。
【００４４】
この壁掛けホルダ部分１５を、１５ｂにて折り曲げて、図５のようにし、孔１６を用いて壁掛け用として使用する。
【００４５】
この際、図５において、符号１７の部分が開口状態となるが、布製のカレンダー表示部１１が取り付けられているため、ホルダの開口部分は前方よりは見えない。
【００４６】
尚、壁掛け用として使用する場合は立て掛け部分は保持部と同一平面となるように元に戻すことにより１枚の保持部となる。したがって、実施例１のように三角筒状部分を折り曲げることにより、この部分が２重の厚紙となることはなく実質上１枚の板状となるため、より好ましい。
【００４７】
図６は、実施例２のカレンダーにおいて、表示部１１として１ケ月の暦を取り付け保持した例である。したがって、この図６に示す例では、１２カ月分の１２枚の表示部を重ねて保持してもよく、又使用する月１枚の暦を表示した表示部のみを取り付け、必要に応じて交換するようにしてもよい。又、２ケ月分毎の計６枚のものや３ケ月分毎の計４枚のもの、６ケ月分毎の計２枚のものでもよい。
【００４８】
以上のように、暦の近くに絵画等を表示した表示部に加えて、絵画のみよりなる表示部を用意することにより、暦用の表示部と絵画のみの表示部とを交換し、あるいは絵画のみの表示部を前面において絵画の鑑賞を行なうようにしてもよい。つまり通常はカレンダーとして使用し、時に絵画の鑑賞を行ない、再度カレンダーとして使用することにより更に多くの用途とし得る。
【００４９】
更に図７は実施例２のカレンダーで、保持部１２に設けられた取り付け部の他の形状のカレンダーを示す。つまり、この取り付け部１４は、円弧状の切り抜き可能な部分の他に円弧状部分より伸びる他のスリット状溝１４ａを設けたものである。これにより表示部１１の取り付け、取り外しが容易になる。
【産業上の利用可能性】
【００５０】
本考案は、卓上用カレンダー、壁掛け用カレンダー等のカレンダーとして用いるもので、暦および絵画等を記載した表示部を布製とすることにより、眼鏡拭き等としても使用し得る。
【図面の簡単な説明】
【００５１】
【図１】本考案の実施例１のカレンダーを正面より見た図
【図２】本考案の実施例２のカレンダーで表示部を取り付けた状態を正面より見た図
【図３】本考案の実施例２のカレンダーで表示部を取り外した状態を正面より見た図
【図４】本考案の実施例２のカレンダーで背面より見た図
【図５】本考案の実施例２のカレンダーで立て掛けた状態を背面より見た図
【図６】本考案の実施例２のカレンダーで表示部の１カ月分の暦の例を示す図
【図７】本考案の実施例２のカレンダーで取り付け部の構造の異なる例を示す図
【符号の説明】
【００５２】
１、１１    表示部
２、１２    保持部
３、４、    折り曲げ部
５、１５    壁掛けホルダ
１３        立て掛け部
１４        取り付け部
１６        掛け止め用孔
【図１】
0003146660.tif 000003
【図２】
0003146660.tif 000004
【図３】
0003146660.tif 000005
【図４】
0003146660.tif 000006
【図５】
0003146660.tif 000007
【図６】
0003146660.tif 000008
【図７】
0003146660.tif 000009
【手続補正書】
【提出日】平成20年9月18日(2008.9.18)
【手続補正１】
【補正対象書類名】実用新案登録請求の範囲
【補正対象項目名】全文
【補正方法】変更
【補正の内容】
【実用新案登録請求の範囲】
【請求項１】
台紙等の保持部に布製の表示部を着脱可能に保持したカレンダーで、前記布製の表示部が極めて細かい繊維にて形成した表面が極めて滑らかな布よりなり、前記布製の表示部に暦およびその周辺部等に絵画、写真等を表示したことを特徴とするカレンダー。
【請求項２】
前記保持部が厚紙等よりなり、表示部を取り付ける箇所と保持部を支える立て掛け部とにより構成され、前記立て掛け部を保持面の下端を裏面側に三角筒形状に折り曲げた形状もしくは裏面側の折りたたみスタンド形状として、卓上用として使用するようにしたことを特徴とする請求項１のカレンダー。
【請求項３】
前記保持部が少なくとも前記表示部を着脱可能に保持する取り付け箇所を有する厚紙又は布等よりなり、前記保持部の上側端部に壁掛けホルダを有する、壁掛け用として使用するようにしたことを特徴とする請求項１のカレンダー。
【請求項４】
前記保持部が少なくとも前記表示部を着脱可能に保持する箇所を有する厚紙等よりなり、前記保持部の上側端部に壁掛けホルダを有し、前記保持部の下端に裏面側に折り曲げて三角筒形状になし得る折り曲げ部を有する構成又は裏面側に折りたたみのスタンド部を形成する構成であって、前記保持部の上側端部の壁掛けホルダを利用した壁掛け用カレンダーとしての使用と、前記保持部の折り曲げ部を折り曲げた三角筒形状又は裏面側の折りたたみスタンド形状を利用した卓上用カレンダーとしての使用とを可能にしたことを特徴とする請求項１のカレンダー。
【請求項５】
前記表示部が暦を印刷した１枚の布又は複数枚の布を重ね合わせたものよりなる請求項１、２、３又は４のカレンダー。
【請求項６】
前記表示部が該表示部を保持部より取り外した際に携帯が可能であり、又眼鏡のレンズ拭きや鏡面状物質等の表面を拭くのに適した形状、大きさであることを特徴とする請求項１、２、３、４又は５のカレンダー。
【請求項７】
１枚又は複数枚の暦を表示した表示部の他に、更に絵画や写真等のみを表示した表示部を含む請求項１、２、３又は４のカレンダー。
【手続補正２】
【補正対象書類名】明細書
【補正対象項目名】全文
【補正方法】変更
【補正の内容】
【考案の詳細な説明】
【技術分野】
【０００１】
本考案は、カレンダーに関するもので、暦やその近くに表示されている絵画や写真等
を含む表示部分が布製であるカレンダーに関するものである。
【背景技術】
【０００２】
従来のカレンダーは、一般に紙製であって、その表面に暦の他絵画や写真等が印刷さ
れているものが多い。
【０００３】
そのために、使用後つまりカレンダーに記載されている暦の月日やその年が経過した
後は、そのまま廃棄される。
【０００４】
又、壁掛け式のカレンダーの中に布製のカレンダーも存在するが使用後は同様に廃棄
されてしまう。
【０００５】
又、卓上カレンダーは厚紙にて形成された保持枠の前面に開口を有し、暦やその近く
に表示される絵画や写真等を開口より若干大きな紙に表示し、この暦を記載した用紙を保
持枠の開口部分に挿入されて見得るように形成されている。
【０００６】
このように卓上カレンダーは、保持枠、暦等を印刷した表示部分も紙製であり、使用
後は廃棄されてしまう。
【０００７】
又、卓上カレンダーには、暦部分が布製のものもあるが、これらも使用後はすべてが
廃棄されてしまう。
【０００８】
又、従来のカレンダーで布製のカレンダーは、布表面に記載された暦が十分鮮明に画
かれているとはいえない。特に卓上カレンダーは、小型であるため、暦等が小さく画かれ
布製の場合一層見にくくなる。そのために卓上カレンダーでは、表示部分が布製のものは
極めて稀であると考えられる。
【０００９】
更に、カレンダーには絵画、写真等が印刷されていることが多いが、布製の場合、そ
れらが不鮮明であり好ましくない。
【００１０】
特に絵画や写真において細部が明瞭に印刷されない場合、それらをカレンダーの暦を
表示する面に印刷することの意味が極めて少なくなる。
【考案の開示】
【考案が解決しようとする課題】
【００１１】
本考案は、台紙等の保持部に暦、絵画、写真が描かれている布製の表示部を着脱可能
に取り付けたカレンダーを提供するものである。
【課題を解決するための手段】
【００１２】
本考案のカレンダーは、台紙等の保持部に布製の表示部を着脱可能に保持したもので
、布製の表示部が、一般にワイピングクロスと称する極めて細かい天然繊維や化学繊維を素材として織ったソフトで表面がきめ細かく滑らかな布を用いたものであって、その表面に暦と共に著名な絵画や美しい自然を撮影した写真等を印刷等の手段にて表示したことを特徴とするものである。
【００１３】
即ち、本考案は一般にワイピングクロスと称されている布地がその表面が極めて滑ら
かな形状であり、この表面に絵画等を印刷表示した時に、光沢紙に印刷したのと同様に美
しい印刷が可能であり、しかも光沢紙よりも優れた質感が表現できることに着目し、それ
と共にこの布の本来の特徴を生かした使用方法とを兼用させることを特徴とする。
【００１４】
このように、本考案のカレンダーは、表示部として上記のような布を採用することに
よって、布製であるにも拘らず、その表面に形成された暦を鮮明に見得ると共に、暦に加
えて表示されている絵画や写真も現物に近く表現され、又美術品や著名な建築物等の画像
も繊細な点まで明瞭に画かれていて美的にも優れた表示部を取り外し可能にしたものであ
る。
【００１５】
また、台紙等の保持部に対する取り付け、取り外しが容易な構成であるため、表示部
を保持部より外して携帯することにより、外出時等も暦を見ることが可能であり、又同様
に表示されている絵画や写真等を観ることが可能である。
【００１６】
更に表示部を形成する布が極めて滑らかで変形しやすくソフトであるために眼鏡を使
用するものは、眼鏡のレンズ表面を拭くためにも使用でき、その他鏡表面等の鏡面状の光
沢面を拭く際にも極めて有効である。
【００１７】
又、暦に記載されている月日や年が経過後の暦として不要になった後も、布製の表示
部を前述のような使用が可能であり、廃棄することなしに使用し続けることができる。
【００１８】
しかも表示部は、一般の厚紙製のものや比較的厚いしかも目の粗い布製のものとは異
なり、折り曲げが容易であり、又手触りがソフトであり、保管等にも好ましい。
【００１９】
又、本考案のカレンダーにおいて、台紙部分である保持部を少なくともその表示部の
取り付け箇所より下方に伸びる形状とし、その部分を裏面側に折り曲げて三角筒形状とす
るか裏面側を折りたたみのスタンド形状とすることにより卓上カレンダーとしてもよい。
【００２０】
又、保持部を平板状とし、その上側端部に壁掛けホルダを設けることにより壁掛け用
カレンダーとしてもよい。
【００２１】
更に、保持部の表示部を取り付ける箇所の下方を、これより下方に伸びる形状とし、
しかも折り曲げ可能として裏面側に三角筒形状に折り曲げるか裏面側を折りたたみのスタ
ンド形状とし、同時に保持部の上側端部に壁掛けホルダを設けることにより、卓上カレン
ダーとしての使用と、壁掛け用カレンダーとしての使用の両使用方法を適宜選択し得る構
成になし得る。
【００２２】
この場合、卓上カレンダーとしての使用時は、保持部の上側端部の壁掛けホルダは、
折り曲げまたは回動によって、保持部の裏側に隠れるようにしてもよい。逆に壁掛け用カ
レンダーとしての使用の場合、保持部の裏側の三角筒形状部分又は折りたたみのスタンド
形状の部分をそのままにした状態にて壁掛け用として使用してもよいが、表示部が傾斜し
て表示面が見にくくなる。
【００２３】
そのため、卓上用の三角筒形状の部分を保持部（本体）裏面に接着することなく、折
り曲げ部分での折り曲げ角度（９０°および０°を含め）を自由に変え得る構成として、
下方に伸ばして長い保持部としての使用や、逆に全体を裏側に位置させて適宜手段にて保
持部の裏面側にて固定することにより、全体が平面状の保持部として使用するような構成
にすることが好ましい。
【００２４】
更に、本考案のカレンダーにおいて、布製の表示部を携帯に便利であり、かつ拭き取
り布として使用しやすい大きさ形状とすることが望ましい。
【考案の効果】
【００２５】
本考案は、ワイピングクロスと称する極めて細かい繊維よりなる布を暦等を記載する
表示部として用いることにより、布製であるにも拘らず印刷された画像が極めて鮮明であ
り、その上眼鏡のレンズ等の光沢面を拭くためにも使用し得る等の効果を有する。
【考案を実施するための最良の形態】
【００２６】
本考案の実施の形態を図示する実施例をもとに説明する。
【実施例１】
【００２７】
図１は、本考案のカレンダーの実施例を示すもので、卓上用カレンダーとしても壁掛
け用カレンダーとしても使用し得る例である。
【００２８】
又、この実施例のカレンダーは１枚の表示部に１年分の暦を記載した例である。
【００２９】
図において、１は表示部で、細かい繊維により織った布つまり、ワイピングクロスで、表面が極めて滑らかな面である。この表示部１のうち右側の１ａは１年間の暦が表示され、左側の１ｂに絵画が描かれている。２は保持部であって、表示部１より下方に伸びた部分に折り曲げ部３と他の折り曲げ部４を有し、表示部１を含めて三角筒形状として卓上カレンダーとして用い得るようにしてある。
【００３０】
又、５は壁掛けホルダで、この実施例のカレンダーを壁掛け用として使用する場合、
このホルダ５を用いればよい。
【００３１】
その場合、図示された状態のまま、壁掛け用として使用すると表示部が傾斜するため
、若干見にくくなることが考えられる。そのために、折り曲げ部３、４を伸ばして保持部
２を平板状にするか、逆に折り曲げ部３より先を裏面側に重ねて平板状にすることにより
、表示部をほぼ垂直にすることが可能である。
【００３２】
この実施例のカレンダーは、布製の表示部１が厚紙等よりなる保持部２の表面上に取
り付け片に挟む等の手段にて簡単に取り外し得るもので、不要になった場合、布製の表示
部１を取り外し、この布により汚れ等の拭き取りに使用し得る。
【００３３】
ここで、表示部１の布は表面の滑らかな布であり、眼鏡のレンズ拭き等に利用し得る。
【００３４】
又、この実施例のカレンダーは、表示部の着脱が簡単に行ない得るため、カレンダー
として使用中にも、表示部１を外して眼鏡のレンズ等の拭き取りに使用し、その後、カレ
ンダーの保持部１に取り付けてカレンダーとして使用することができる。
【００３５】
又、実施例では、１枚の表示部に１年分の暦を記載したカレンダーであるが、各月毎
の１２枚あるいは複数月毎の複数枚の布製表示部を重ねて取り付け、月毎に交換して使用
するカレンダーとしてもよい。
【００３６】
その場合、カレンダーとしての使用と共に、眼鏡のレンズ等の拭き取り用の布として
使用することができる。
【００３７】
又、この実施例のカレンダーは、表示部１が布製であり、形状大きさも携帯に便利な
構成である。したがって、表示部１を取り外して携帯し、外出中等に見ることも可能であ
り、同時に眼鏡を使用する者は、眼鏡拭きとして使用し得る。
この実施例は、卓上用と壁掛け用の両方の使用が可能なカレンダーであるが、例えば
図示する形状の保持部２に布製表示部１を取り外し可能にした卓上用のみに使用し得る構
成にしてもよい。
【００３８】
逆に、三角筒形状部分を除去した形状とし、壁掛けホルダ５を用いて壁掛け用のみに
使用する構成にすることも可能である。
【００３９】
このように、壁掛け用のみに使用する構成（卓上用の使用を行なわない構成）とする
場合、カレンダーの保持部を厚紙等としてその上側端部に壁掛けホルダを設けた構成や、
保持部も布製とし、その上側端部に壁掛けホルダを設け、布製保持部にワイピングクロス等よりなる布製の表示部を着脱可能に取り付けた構成としてもよい。
【実施例２】
【００４０】
図２、図３、図４、図５は、本考案のカレンダーの他の実施例２を示す。これら図の
うち図２は表示部を取り付けた状態を正面より見た図、図３は表示部を取り外した状態を
正面より見た図、図４は背面より見た図、図５は立て掛けた状態を背面より見た図である
。この実施例２は、特に卓上用として使用する際の立て掛け部分の構造が実施例１と異な
る実施例である。つまり実施例１のカレンダーがこの立て掛け部分を保持部を裏面側に折
り曲げて三角筒状としたのに対し、この実施例２は図５に示す斜視図（背面より見た図）
のようにして卓上用として使用し得る。
【００４１】
即ち、図３に示すように、この実施例２のカレンダー１０は、保持部（台紙）１２に
おいて符号１３ａに示す実線部分を線状に切り離し可能とし、他の破線にて示す１３ｂを
折り曲げ可能として、１３ｂの箇所は保持部１２に接続されたままで、立て掛け部１３が
保持部１２より切り離し折り曲げ可能となっている。これにより、立て掛け部１３を折り
曲げ部分（破線部分）１３ｂにて夫々裏側へ折り曲げて、図５の斜視図にて示すようにし
て、保持部１２が転倒しないようにして卓上用として使用し得るようにしている。
【００４２】
又、保持部１２の４隅には、表示部１１を挟む取り付け部１４が形成されている。こ
の取り付け部１４は円弧状の切り抜き部分よりなり、この切り抜き部分に表示部１１の４
隅を挟んでこれを取り付け、図２の正面図に示すように、表示部１１は保持部１２にて保
持され、暦等を見得るようになる。
【００４３】
一方カレンダー１０の保持部１２の上方には、壁掛けホルダ１５が形成されている。
この壁掛けホルダ１５は、１５ａにて示す実線部分が切り離し可能であり、又１５ｂの破
線部分は保持部１２と一体のままで折り曲げ可能となっている。更に壁掛けホルダ１５に
は掛け止め用の孔１６が設けられている。
【００４４】
この壁掛けホルダ部分１５を、１５ｂにて折り曲げて、図５のようにし、孔１６を用
いて壁掛け用として使用する。
【００４５】
この際、図５において、符号１７の部分が開口状態となるが、布製のカレンダー表示
部１１が取り付けられているため、ホルダの開口部分は前方よりは見えない。
【００４６】
尚、壁掛け用として使用する場合は立て掛け部分は保持部と同一平面となるように元
に戻すことにより１枚の保持部となる。したがって、実施例１のように三角筒状部分を折
り曲げることにより、この部分が２重の厚紙となることはなく実質上１枚の板状となるた
め、より好ましい。
【００４７】
図６は、実施例２のカレンダーにおいて、表示部１１として１ケ月の暦を取り付け保
持した例である。したがって、この図６に示す例では、１２カ月分の１２枚の表示部を重
ねて保持してもよく、又使用する月１枚の暦を表示した表示部のみを取り付け、必要に応
じて交換するようにしてもよい。又、２ケ月分毎の計６枚のものや３ケ月分毎の計４枚の
もの、６ケ月分毎の計２枚のものでもよい。
【００４８】
以上のように、暦の近くに絵画等を表示した表示部に加えて、絵画のみよりなる表示
部を用意することにより、暦用の表示部と絵画のみの表示部とを交換し、あるいは絵画の
みの表示部を前面において絵画の鑑賞を行なうようにしてもよい。つまり通常はカレンダ
ーとして使用し、時に絵画の鑑賞を行ない、再度カレンダーとして使用することにより更
に多くの用途とし得る。
【００４９】
更に図７は実施例２のカレンダーで、保持部１２に設けられた取り付け部の他の形状
のカレンダーを示す。つまり、この取り付け部１４は、円弧状の切り抜き可能な部分の他
に円弧状部分より伸びる他のスリット状溝１４ａを設けたものである。これにより表示部
１１の取り付け、取り外しが容易になる。
【産業上の利用可能性】
【００５０】
本考案は、卓上用カレンダー、壁掛け用カレンダー等のカレンダーとして用いるもの
で、暦および絵画等を記載した表示部を布製とすることにより、眼鏡拭き等としても使用
し得る。
【図面の簡単な説明】
【００５１】
【図１】本考案の実施例１のカレンダーを正面より見た図
【図２】本考案の実施例２のカレンダーで表示部を取り付けた状態を正面より見た図
【図３】本考案の実施例２のカレンダーで表示部を取り外した状態を正面より見た図
【図４】本考案の実施例２のカレンダーで背面より見た図
【図５】本考案の実施例２のカレンダーで立て掛けた状態を背面より見た図
【図６】本考案の実施例２のカレンダーで表示部の１カ月分の暦の例を示す図
【図７】本考案の実施例２のカレンダーで取り付け部の構造の異なる例を示す図
【符号の説明】
【００５２】
１、１１    表示部
２、１２    保持部
３、４、    折り曲げ部
５、１５    壁掛けホルダ
１３        立て掛け部
１４        取り付け部
１６        掛け止め用孔
【手続補正３】
【補正対象書類名】図面
【補正対象項目名】図１
【補正方法】変更
【補正の内容】
【図１】
0003146660.tif 000010
【手続補正４】
【補正対象書類名】図面
【補正対象項目名】図２
【補正方法】変更
【補正の内容】
【図２】
0003146660.tif 000011
【手続補正５】
【補正対象書類名】図面
【補正対象項目名】図６
【補正方法】変更
【補正の内容】
【図６】
0003146660.tif 000012